(57)【要約】【課題】ディスプレイラックの美観を損ねることなく、かつ安価に、電気機器の状態を示す表示部を設ける。【解決手段】ディスプレイ装置が上面に設置されるディスプレイラック１００において、ディスプレイ装置の信号源から入力された音声信号を増幅するアンプ装置５０と、アンプ装置５０の状態を示す表示部６０と、アンプ装置５０を収納する天板部３０とを備える構成とした。天板部３０の上面には透明の部材で構成されたガラス天板部３１を配置し、ガラス天板部３１の下面に、表示部６０を、その表示面を上側に向けた状態で配置するようにした。【選択図】図１
2008188294.tif 000002
【特許請求の範囲】
【請求項１】
ディスプレイ装置が上面に設置されるディスプレイラックにおいて、
前記ディスプレイ装置の信号源から入力した音声信号を増幅するアンプ装置と、
前記アンプ装置の状態を示す表示部と、
前記アンプ装置を収納する天板部と、
透明の部材で構成され、前記天板部の上面に配置される透明天板部とを備え、
前記表示部は、表示面を上側に向けた状態で前記透明天板部の下面に配置されることを特徴とする
ディスプレイラック。
【請求項２】
請求項１記載のディスプレイラックにおいて、
前記表示部は、前記透明天板部の奥行き方向の手前側に配置されることを特徴とする
ディスプレイラック。
【請求項３】
請求項１記載のディスプレイラックにおいて、
前記表示部は、その表示面が当該ディスプレイラックの前面方向に所定の角度傾いた状態で配置されることを特徴とする
ディスプレイラック。
【請求項４】
請求項１記載のディスプレイラックにおいて、
前記表示部は、複数の発光体で構成されることを特徴とする
ディスプレイラック。
【請求項５】
請求項１記載のディスプレイラックにおいて、
前記透明天板部は、前記表示部が配置された部分のみを透過する素材で構成されることを特徴とする
ディスプレイラック。
【請求項６】
請求項１記載のディスプレイラックにおいて、
前記透明天板部は、前記表示部が配置された場所を含む、前記天板部上の一部の箇所に配置されることを特徴とする
ディスプレイラック。
【発明の詳細な説明】
【技術分野】
【０００１】
本発明は、テレビジョン受像機等のディスプレイ装置を上面に載置可能なディスプレイラックに関し、特にアンプ装置とアンプ装置の状態を示す表示部とを備えたディスプレイラックに関する。
【背景技術】
【０００２】
近年、テレビジョン受像機等を設置可能なディスプレイラックにおいて、テレビジョン受像機や、ディスプレイラック内に収納したオーディオ機器やビデオ機器から出力される音声を増幅するアンプ装置や、アンプ装置で増幅された音声を出力するスピーカを内蔵したものが増えてきている。
【０００３】
このようなディスプレイラックでは、電源のオン・オフを表示したり、アンプ装置等の電気機器の状態等をユーザに知らせるための表示部が必要となる。図１０は、表示部を、ディスプレイラックの手前側の面に設けた場合の例を示してある。図１０に示したディスプレイラック２００は、テレビジョン受像機等が設置される天板部２１３と、天板部２１３を支える左右の脚部２１２ａ及び２１２ｂ、脚部２１２ａと２１２ｂの間に渡された棚板部２１４とで構成されている。ディスプレイラック２００の天板部２１３の中にはアンプ装置２５０を内蔵してあり、アンプ装置２５０の状態を示す表示部２６０が、天板部２１３の前面部分に設けられている。
【０００４】
また、図１１には、表示部をラックの上面に設けた場合の例を示してある。図１１に示されたディスプレイラック２１０は、天板部２１３や脚部２１２ａ，２１２ｂ、棚板部２１４の構造は、図１０に示したディスプレイラック２００と同様であるが、アンプ装置２５０の状態を表示する表示部２６０を、天板部２１３の上面の右端部分に配置してある。
【０００５】
特許文献１には、オーディオ・ビデオ機器を収納するリビング家具の前面に、オーディオ・ビデオ機器の制御装置の制御状態を表示する表示部を設けたことについての開示がある。
【特許文献１】特開平１−２９７００６号公報
【発明の開示】
【発明が解決しようとする課題】
【０００６】
ところで、テレビジョン受像機等を載置するディスプレイラックは、リビングルーム等に設置する特性上、インテリアとしてのデザイン性が求められるものでもある。このため、ディスプレイラックにおいては、高級感のある素材を使用したり、天板部や棚板部等をガラス素材の板で構成する等の工夫がされている。ところが、電気機器の状態を表示するための表示部は、ＦＬ（Fluorescent Lamp）管や液晶パネル等で構成されるのが通常であり、ディスプレイラックの天板部や脚部を構成する素材との調和を取るのが難しいという問題があった。つまり、表示部をディスプレイラックの前面や上面に設置することで、表示部の存在がディスプレイラックの美観を損ねてしまいかねない。
【０００７】
また、表示部をディスプレイラックの前面や上面等、ディスプレイラックの表面に設ける場合には、表示部を保護するためのカバーが必要となる。カバーを新たに設けるとなると、機構的に複雑化してしまう上、製造コストが高くなってしまうという問題があった。さらに、表示部をディスプレイラックの上面に設ける場合は、表示部を設置することにより生じる凹凸が、天板上に配置するテレビジョン受像機等のディスプレイ装置の邪魔になってしまうという問題もあった。
【０００８】
本発明はかかる点に鑑みてなされたものであり、ディスプレイラックの美観を損ねることなく、かつ安価に、電気機器の状態を示す表示部を設けることを目的とする。
【課題を解決するための手段】
【０００９】
本発明は、ディスプレイ装置が設置されるディスプレイラックにおいて、ディスプレイ装置の信号源から入力された音声信号を増幅するアンプ装置と、アンプ装置の状態を示す表示部と、アンプ装置を収納する天板部とを備える構成とした。そして、天板部の上面に透明の部材で構成された透明天板部を配置し、透明天板部の下面に、表示部を、その表示面を上側に向けた状態で配置するようにした。
【００１０】
このようにしたことで、天板部の上に配置された透明天板部を通して、表示部に表示された内容を確認することができるようになる。
【発明の効果】
【００１１】
本発明によると、透明天板部の下に表示部が配置されるため、表示部がディスプレイラックの美観を損ねてしまうことがなくなる。
【発明を実施するための最良の形態】
【００１２】
以下、本発明の一実施の形態を、図１〜図９を参照して説明する。本実施の形態は、テレビジョン受像機等のディスプレイ装置を上部に載置するディスプレイラックであり、テレビジョン受像機等の信号源の音声を増幅するアンプ装置や、５．１ｃｈサラウンド対応のスピーカユニットを内蔵したディスプレイラックに適用したものである。
【００１３】
図１は、本実施の形態におけるディスプレイラックの構成例を示す図である。図１に示されるディスプレイラック１００は、テレビジョン受像機等のディスプレイ装置が設置されるガラス天板部３１と、その下面に設けられた天板部３０、天板部３０を支持する脚部２０ａ及び２０ｂ、脚部２０ａと２０ｂの間に渡された棚板部４０とで構成してある。棚板部４０の下には、ディスプレイスタンド１００全体を支持する脚部２１ａ〜２１ｄを設けてある（脚部２１ｄは図示略）。ガラス天板部３１は、透明なガラス板で構成される透明天板部である。
【００１４】
棚板部４０の上には、ＤＶＤ（Digital Versatile Disk）等のオーディオ・ビデオ装置等を配置可能であり、棚板部４０の上に配置したオーディオ・ビデオ装置から出力される音声信号や、ガラス天板部３１上に設置したテレビジョン受像機から出力される音声信号を増幅するアンプ装置５０と、アンプ装置５０で増幅された音声信号を出力する複数のスピーカユニットとを、天板部３０の中に収納してある。図１においては、天板部３０内に収納された各部は、破線で表現してある。
【００１５】
スピーカユニットとしては、左から、左前スピーカユニット１０ＦＬ、中央前スピーカユニット１０ＦＣ、右前スピーカユニット１０ＦＲを配置してある。各スピーカユニットの放音部はすべて天板部３０の前面の方向に向けて配置してあり、放音部を覆うようにして、防塵用のグリルネット３４を装着してある。スピーカユニット１０を構成するスピーカのうち、低音の一部の領域のみ（０．１ｃｈ）を受け持つサブウーファは、棚板部４０の下面に配置したサブウーファボックス１０ＳＷの中に設けてある。
【００１６】
また、ガラス天板部３１は、ガラス天板部支持部材３２を介して天板部３０上に設置してある。ガラス天板部３１の下面部分には、アンプ装置５０の状態を示す表示部６０を配置してあり、その配置は、表示部６０の表示面６１を上側に向けた状態で行ってある。また表示部６０は、ガラス天板部３１の奥行き方向に対しては手前側の位置に配置してあり、表示部６０の設置位置の奥側に、アンプ装置５０を配置してある。表示部６０は、本例においてはＦＬ管で構成してある。
【００１７】
天板部３０の前面の右下部分には、アンプ装置５０等の電気機器に対する操作入力を行う、操作部７０を設けてあり、本例においては、操作部７０は４つのボタンで構成してある。４つのボタンは左から、電源ボタン７１、入力切替ボタン７２、音量ダウンボタン７３、音量アップボタン７４である。アンプ装置５０に対する操作入力は、図示しないリモートコントローラによっても行うことが可能であり、リモートコントローラから送信される信号を受信するための赤外線受光部８０を、天板部３０の前面のグリルネット３４の裏面に配置してある。アンプ装置５０は、操作部７０を構成するボタンが押下されることにより生成された操作信号や、赤外線受光部８０が受信して得た操作信号に基づいて制御され、その状態が表示部６０の表示面６１に表示される。表示部６０には、アンプ装置５０の状態として、電源のオン・オフ、入力セレクタの種類、ドルビーデジタルやＤＴＳ（Digital Theater Systems）等の入力フォーマットの種類、ボリューム値等を表示させることが可能である。
【００１８】
次に、図２〜図４を参照して、本例のディスプレイラックを構成する各部の配置の詳細について説明する。図２は、ディスプレイラック１００を上面から見た図である。図２において、ガラス天板部３１の下（天板部３０の中）に配置された各部は破線で示してある。天板部３０の内部には、天板部３０の奥行き方向で少し入った位置に、左から順に左前スピーカユニット１０ＦＬ、中央前スピーカユニット１０ＦＣ、右前スピーカユニット１０ＦＲを配置してある。右前スピーカユニット１０FＲと天板部３０奥行き方向でほぼ同一の位置には表示部６０を設置してあり、表示部６０の設置位置の奥側に、アンプ装置５０を配置してある。操作部７０や赤外線受光部８０は、グリルネット３４が装着された面のすぐ裏側に設けてある。
【００１９】
図３は、本例のディスプレイラック１００を、正面から見て右側の側面（脚部２０ｂ側の側面）から見た側面図であり、ガラス天板部３１上にテレビジョン受像機１１０を設置した様子を示してある。ガラス天板部３１は、ガラス天板部支持部材３２を介して天板部３０上に配置してある。ガラス天板部支持部材３２は、ガラス天板部３１を支持する部材であるとともに、不透明な（即ち光を透過しない）素材で構成することで、天板部３０内に収納された各部をユーザの目から隠蔽する役割も果たしている。ただし、ガラス天板部支持部材３２をガラス天板部３１と天板部３０との間にかませることで、表示部６０に表示される内容も隠されてしまうため、ガラス天板部支持部材３２上に、表示部６０用の孔である表示部用孔３３を設けてある。
【００２０】
このように構成することで、表示部用孔３３を通して、表示部６０に表示された内容をガラス天板部３１の上面から視認できるようになる。また、表示部６０をディスプレイラック１００の奥行き方向における手前側に配置してあるため、ガラス天板部３１上に配置されたテレビジョン受像機１１０等のディスプレイ装置の脚により、表示部６０の表示面６１が隠されてしまう可能性が少なくなる。
【００２１】
図４は、ディスプレイラック１００を正面から見た図である。天板部３０内には、正面左端から順に、左前スピーカユニット１０ＦＬ、中央前スピーカユニット１０ＦＣ、右前スピーカユニット１０ＦＲ配置してあり、天板部３０の右下方には、赤外線受光部８０と操作部７０を設けてある。天板部３０の内部の右側には、ガラス天板部３１の下面部分に表示部６０を、その下側にアンプ装置５０を配置してある。上述したように、ガラス天板部３１を支持するガラス天板部支持部材３２には、表示部用孔３３を設けてあるため、表示部６０に表示される内容は、ガラス天板部３１を通して見ることができる。また、表示部６０をガラス天板部３１のすぐ下に配置する構成としてあるため、表示部６０が設置された下の部分の空間も、他の電気機器を配置するためのスペースとして有効活用することができる。
【００２２】
次に、本例のディスプレイラック１００の内部構成例について、図５を参照して説明する。まず、信号源１よりアンプ装置５０に音声信号が供給される。信号源１は、例えばディスプレイラック１００上に設置されたテレビジョン受像機であり、そのテレビジョン受像機のオーディオ信号出力端子が、アンプ装置５０の入力端子に接続されることで、テレビジョン受像機から出力された音声信号が、アンプ装置５０に入力される。
【００２３】
アンプ装置５０内では、信号処理部２ＳＷ、２ＦＣ、２ＦＬ、２ＦＲ、２ＳＬ、２ＳＲのそれぞれに、サブウーファの音声信号、センタチャンネルの音声信号、左フロントチャンネルの音声信号、右フロントチャンネルの音声信号、が供給される。信号処理部２ＳＷ、２ＦＣ、２ＦＬ、２ＦＲでは、各チャネルの音声信号の信号処理を行い、信号処理した各チャンネルの音声信号を、それぞれアンプ５ＳＷ、５ＦＣ、５ＦＬ、５ＦＲに供給する。アンプ５ＳＷ、５ＦＣ、５ＦＬ、５ＦＲにおいても、入力された音声信号の増幅を行い、増幅した音声信号をスピーカ１０ＳＷ−ｂ、１０ＳＷ−ａ、１０ＦＣ、１０ＦＬ、１０ＦＲに供給して音声出力させる。
【００２４】
また制御部３には、赤外線受光部８０と操作部７０が接続してあり、操作部７０を構成するボタンの操作や、リモートコントローラを構成するボタンの操作等により、各種調整やオン・オフ操作などが可能である。制御部３には表示部６０も接続してあり、表示部６０では、リモートコントローラから入力される操作信号等に基づき、アンプ装置５０の状態を表示する。
【００２５】
このように、ガラス板で形成したガラス天板部３１の下に、アンプ装置５０の状態を表示する表示部６０を設置することで、表示部の存在がディスプレイラックの美観を損ねてしまうことが無くなる。また、表示部を設置することで天板上に凹凸が生じることもないため、表示部が、天板上に設置するディスプレイ装置の邪魔になってしまうことがなくなる。
【００２６】
また、ガラス天板部３１が、ディスプレイラック１００の天板としての役割と、表示部６０を保護するカバーの役割を果たすので、表示部保護用のカバーを新たに設ける必要がなくなり、製造コストを抑えることができる。
【００２７】
なお、ここまで説明した実施の形態では、表示部６０の表示面６１を、ガラス天板部３１に対して平行に配置する構成としたが、表示面６１をディスプレイラック１００の前面側に、所定の角度傾けて配置するようにしてもよい。表示部を傾けて配置した場合の構成例を、図６に示してある。図６は、ディスプレイラック１００を、正面から見て右側の側面（脚部２０ｂ側の側面）から見た図である。図６においては、画面の左側がディスプレイラック１００の前面側となる。そして、表示部６０′をディスプレイラック１００の前面側に所定の角度傾けて設置してある。表示部６０の表示面６１をガラス天板部３１に対して平行に配置した場合と同様に、ガラス天板部３１を支持するガラス天板部支持部材３２には、表示部用孔３３′を設けてあるため、表示部６０′はこの表示部用孔３３′とガラス天板部３１を通して視認可能となる。
【００２８】
このように、表示部６０′を所定の角度傾けて配置した場合の、表示部６０′の視認範囲の例を図７に示してある。図７には、ディスプレイラック１００を脚部２０ｂの方向から見た側面図であり、ガラス天板部３１上にテレビジョン受像機１１０が設置された様子を示してある。表示部６０′をディスプレイラック１００の前面の方向に所定の角度傾けて配置してあるため、ユーザＨ１のように、ディスプレイラック１００に比較的近い位置で表示部６０′の真上に近い角度から見る場合はもちろん、ユーザＨ２のように、ディスプレイラック１００から離れた場所に位置し、かつ座っていて表示部６０′の表示面６１′に対する視線の入射角が浅い場合であっても、表示部６０′に表示された内容を視認することが可能となる。
【００２９】
この場合、表示部６０′をディスプレイラック１００の前面の方向に所定の角度傾斜させて配置することで、ディスプレイ装置の脚が表示部６０′の表示面６１上に多少重なるようにして配置されたとしても、表示部６０′の表示内容を確認することができる。つまり、ディスプレイ装置を設置する位置に対する自由度を高めることが可能となる。
【００３０】
また、上述した実施の形態では、表示部６０をＦＬ管で構成した例を挙げて説明を行ったが、ＬＥＤ（Light Emitting Diode）等の発光体のみで表示部を構成するようにしてもよい。この場合の構成例を図８に示してある。図８はディスプレイラック１００を上面から見た図であり、ガラス天板部３１の奥行き方向手前側の下側に、上述した表示部６０を配置してある他、複数の発光体６２を横一列に配置してある。このように配置された複数の発光体６２を用いれば、アンプ装置５０におけるボリューム値などを表現することが可能となる。この場合も、ガラス天板部３１を支持するガラス天板部支持部材３２（図示略）に発光体６２用の孔を設けることで、発光体６２の光を、ガラス天板部３１を通して見ることができる。図８においては、発光体６２を横一列に配列した例を挙げたが、縦横に複数個の発光体を配列して、電光掲示板のように文字を表現してもよく、文字が左から右等に流れて表示されるようにしてもよい。
【００３１】
また、上述した実施の形態では、ガラス天板部３１を天板部３０の全面を覆うように配置した例を挙げたが、ガラス天板部３１の配置は、天板部３０の一部の面積に対してのみ行うようにしてもよい。図９に、この場合のディスプレイラックの構成例を示してある。図９は、ディスプレイラック１００を正面から見た図である。図９に示した構成においては、ガラス天板部３１′を天板部３０′の左端及び右端の一部の領域に対してのみ配置してある。この構成においては、右側のガラス天板部３１′を通して、その下に配置された表示部６０の表示内容を確認することができる。
【００３２】
また、上述した実施の形態では、ガラス天板部３１として透明なガラス板を使用することを想定しているが、表示部６０の表示内容を透過できる程度の透過率を持つガラス板であれば、完全に透明なガラスでなくてもよく、スモークガラス等を用いるようにしてもよい。また、表示部６０が配置された位置のみを透過するような、一部の領域が透過されたガラス板をガラス天板部３１として使用するようにしてもよい。
【００３３】
また、上述した実施の形態では、ガラス天板部３１を天板部３０上に設置する際に、ガラス天板部支持部材３２を用いる構成としてあるが、ガラス天板部支持部材３２は用いず、天板部３０上に直接ガラス天板部３１を設置するようにしてもよい。
【００３４】
また、上述した実施の形態では、天板にガラス板を用いた構成としたが、光を透過する材質であり、ディスプレイ装置の重さに対する強度や、摩擦等に対する表面硬度を満足する材質であれば、その素材を天板として用いるようにしてもよい。
【００３５】
また、上述した実施の形態では、スピーカシステムとして、３．１ｃｈのスピーカシステムを例として挙げたが、右チャンネル用スピーカと左チャンネル用スピーカのみが内蔵された構成や、低域音を出力するウーハ用スピーカのような１個のスピーカだけを配置する構成等にも適用可能である。
【００３６】
さらに、５．１ｃｈなどのサラウンド環境をシミュレートした構成として、スピーカユニットが４個の構成や、サブウーファを含めた６個の構成など、他の様々な構成にも適用可能である。５．１ｃｈ以外のチャンネル構成のサラウンド環境を実現する構成としてもよい。
【図面の簡単な説明】
【００３７】
【図１】本発明の一実施の形態によるディスプレイラックの構成例を示す斜視図である。
【図２】本発明の一実施の形態によるディスプレイラックの構成例を示す上面図である。
【図３】本発明の一実施の形態によるディスプレイラックの構成例を示す側面図である。
【図４】本発明の一実施の形態によるディスプレイラックの構成例を示す正面図である。
【図５】本発明の一実施の形態によるディスプレイラックの内部構成例を示すブロック図である。
【図６】本発明の他の形態によるディスプレイラックの構成例を示す側面図である。
【図７】本発明の他の形態による表示部の視認範囲の例を示す説明図である。
【図８】本発明の他の形態による表示部の構成例を示す上面図である。
【図９】本発明の他の形態によるガラス天板部の構成例を示す正面図である。
【図１０】従来のディスプレイラックの構成例を示す斜視図である。
【図１１】従来のディスプレイラックの構成例を示す斜視図である。
【符号の説明】
【００３８】
１０ＳＬ…左リアスピーカユニット、１０ＦＬ…左前スピーカユニット、１０ＦＣ…中央前スピーカユニット、１０ＦＲ…右前スピーカユニット、１０ＳＲ…右リアスピーカユニット、１０ＳＷ…サブウーファボックス、２０ａ，２０ｂ…脚部、２１ａ〜２１ｄ…脚部、３０…天板部、３１…ガラス天板部、３２…ガラス天板部支持部材、３３…表示部用孔、３４…グリルネット、４０…棚板部、５０…アンプ装置、６０…表示部、６１…表示面、７０…操作部、８０…赤外線受光部、１００…ディスプレイラック、１１０…テレビジョン受像機
【図１】
2008188294.tif 000003
【図２】
2008188294.tif 000004
【図３】
2008188294.tif 000005
【図４】
2008188294.tif 000006
【図５】
2008188294.tif 000007
【図６】
2008188294.tif 000008
【図７】
2008188294.tif 000009
【図８】
2008188294.tif 000010
【図９】
2008188294.tif 000011
【図１０】
2008188294.tif 000012
【図１１】
2008188294.tif 000013
【手続補正書】
【提出日】平成20年2月1日(2008.2.1)
【手続補正１】
【補正対象書類名】明細書
【補正対象項目名】００１２
【補正方法】変更
【補正の内容】
【００１２】
以下、本発明の一実施の形態を、図１〜図９を参照して説明する。本実施の形態は、テレビジョン受像機等のディスプレイ装置を上部に載置するディスプレイラックであり、テレビジョン受像機等の信号源の音声を増幅するアンプ装置や、３．１ｃｈサラウンド対応のスピーカユニットを内蔵したディスプレイラックに適用したものである。
【手続補正２】
【補正対象書類名】明細書
【補正対象項目名】００１３
【補正方法】変更
【補正の内容】
【００１３】
図１は、本実施の形態におけるディスプレイラックの構成例を示す図である。図１に示されるディスプレイラック１００は、テレビジョン受像機等のディスプレイ装置が設置されるガラス天板部３１と、その下面に設けられた天板部３０、天板部３０を支持する脚部２０ａ及び２０ｂ、脚部２０ａと２０ｂの間に渡された棚板部４０とで構成してある。棚板部４０の下には、ディスプレイラック１００全体を支持する脚部２１ａ〜２１ｄを設けてある（脚部２１ｄは図示略）。ガラス天板部３１は、透明なガラス板で構成される透明天板部である。
【手続補正３】
【補正対象書類名】明細書
【補正対象項目名】００２３
【補正方法】変更
【補正の内容】
【００２３】
アンプ装置５０内では、信号処理部２ＳＷ、２ＦＣ、２ＦＬ、２ＦＲのそれぞれに、サブウーファの音声信号、センタチャンネルの音声信号、左フロントチャンネルの音声信号、右フロントチャンネルの音声信号、が供給される。信号処理部２ＳＷ、２ＦＣ、２ＦＬ、２ＦＲでは、各チャネルの音声信号の信号処理を行い、信号処理した各チャンネルの音声信号を、それぞれアンプ５ＳＷ、５ＦＣ、５ＦＬ、５ＦＲに供給する。アンプ５ＳＷ、５ＦＣ、５ＦＬ、５ＦＲにおいても、入力された音声信号の増幅を行い、増幅した音声信号をスピーカ１０ＳＷ−ｂ、１０ＳＷ−ａ、１０ＦＣ、１０ＦＬ、１０ＦＲに供給して音声出力させる。
【手続補正４】
【補正対象書類名】図面
【補正対象項目名】図１
【補正方法】変更
【補正の内容】
【図１】
2008188294.tif 000014
【手続補正５】
【補正対象書類名】図面
【補正対象項目名】図２
【補正方法】変更
【補正の内容】
【図２】
2008188294.tif 000015